(57)【要約】  携帯端末１０１において、タッチパネル１１１からのロック解除操作を検出するロック解除操作検出部２０１と、ロック解除時の接触情報から入力媒体を判定する入力媒体判定部２０２と、タッチパネル１１１からボタン押下時の接触位置を検出する接触位置検出部２０３と、入力媒体と接触位置からアイコンの検知領域を算出し、アイコン処理判定を行うアイコン検知領域判定部２０４と、処理判定により処理の実行を行なうアイコン処理実行部２０５と、アイコン処理実行に伴う表示指示を行う表示出力部２０６で構成する。
2012144235.tif 000002
【特許請求の範囲】
【請求項１】
タッチパネル上のアイコンの表示領域に対し、このアイコンの検知領域を予め、一方向に拡張したことを特徴とするタッチパネル装置。
【請求項２】
予め閾値を設け、この閾値に基づき予め決められた、一方向に拡張する距離を決めることを特徴とする請求項１に記載のタッチパネル装置。
【請求項３】
前記アイコンが複数表示され、各アイコン間の距離に応じて前記検知領域を拡張する距離を変えるための閾値を複数設け、ユーザが一方向にスライドしてタッチした際に感知した領域の幅に応じて、いずれかの閾値を選択して前記検知領域を拡張することを特徴とする請求項１又は２に記載のタッチパネル装置。
【請求項４】
前記アイコンが複数表示され、各アイコン間の距離に応じて前記検知領域を拡張する距離を変えるための閾値を複数設け、ユーザが一方向にスライドしてタッチした際に感知した開始点および終了点の領域の面積およびスライド方向に応じて、いずれかの閾値を選択して前記検知領域をいずれかの方向に拡張することを特徴とする請求項１又は２に記載のタッチパネル装置。
【請求項５】
タッチパネル上のアイコンの表示領域に対し、このアイコンの検知表示を予め、一方向にずらしたことを特徴とするタッチパネル装置。
【請求項６】
予め閾値を設け、この閾値に基づき予め決められた、一方向にずらす距離を決めることを特徴とする請求項５に記載のタッチパネル装置。
【請求項７】
前記アイコンが複数表示され、各アイコン間の距離がないとき前記検知領域をずらす距離を変えるための閾値を複数設け、ユーザが一方向にスライドしてタッチした際に感知した領域の幅に応じて、いずれかの閾値を選択して前記検知領域をずらすことを特徴とする請求項５又は６に記載のタッチパネル装置。
【請求項８】
前記アイコンが複数表示され、各アイコン間の距離がないとき前記検知領域をずらす距離を変えるための閾値を複数設け、ユーザが一方向にスライドしてタッチした際に感知した開始点および終了点の領域の面積およびスライド方向に応じて、いずれかの閾値を選択して前記検知領域をいずれかの方向にずらすことを特徴とする請求項５又は６に記載のタッチパネル装置。
【発明の詳細な説明】
【技術分野】
【０００１】
本発明は、タッチパネルを使用し、ユーザに最適なユーザインタフェースを提供するタッチパネル装置に関する。
【背景技術】
【０００２】
従来、タッチパネルにおいては、予め固定的に決定されたボタンアイコンの大きさ、配置されたボタンアイコンを操作しなければならない。また、最近の携帯電話においては、機能が増加し続け、それに比例して、タッチパネル上の選択操作するボタンアイコンの数が増加し、ボタンアイコンサイズがますます小さくなる傾向がある。特に指でボタンアイコンを押下する場合、ボタンアイコンサイズが小さいと、誤操作を発生しやすくなり、操作性が低下するといった問題があった。【０００３】
そこで、特許文献１には、ボタンアイコン押下時のボタンアイコン中心からの距離又は方向に応じた過去データをもとに、ボタンアイコンの検知領域を拡張し、ボタンアイコン押下時の操作性を向上させることが記述されている。【０００４】
また、特許文献２には、ボタンアイコン押下時の誤操作数がある回数になると、ボタンアイコンの検知領域を縮小または拡大し、ボタンアイコン押下時の操作性を向上させることが記述されている。
【先行技術文献】
【特許文献】
【０００５】
【特許文献１】日本国特開２００９−３７３４３号公報
【特許文献２】日本国特開２０１０−５５２２５号公報
【発明の概要】
【発明が解決しようとする課題】
【０００６】
しかしながら、特許文献１および特許文献２のタッチパネルは、ある程度ボタンの押下操作を行い、操作回数のデータを蓄積しないと、その効果は発生しないという課題があった。【０００７】
特に、タッチパネル付き携帯電話又はタッチパネル付き携帯端末で、指とスタイラスの両方を使用できる製品の場合には、ボタンアイコンの押下時におけるボタン中心からの接触位置は異なるため、複数種の入力媒体が利用できる場合には、特許文献１および特許文献２の効果は期待できないという課題があった。【０００８】
そこで、本発明は、上記の課題を解決し、事前にユーザの指若しくはスタイラスのような入力媒体の指定又は入力媒体情報を取得するためだけの特別な操作を必要とせずに、ユーザの指若しくはスタイラスにあわせたボタンアイコンおよびリストアイコンの検知領域の大きさおよび位置を決定し、ボタンアイコンおよびリストアイコン押下時の操作性を向上させるタッチパネル装置の提供を目的とする。
【課題を解決するための手段】
【０００９】
本発明のタッチパネル装置は、タッチパネル上のアイコンの表示領域に対し、このアイコンの検知領域を予め、一方向に拡張する構成を有する。【００１０】
この構成により、アイコン検知領域の大きさおよび位置を決定し、アイコン押下時の操作性を向上させるタッチパネル装置を提供することができる。【００１１】
さらに、本発明のタッチパネル装置は、予め閾値を設け、この閾値に基づき予め決められた、一方向に拡張する距離を決める構成を有する。【００１２】
この構成により、アイコン検知領域の大きさおよび位置を決定し、アイコン押下時の操作性を向上させるタッチパネル装置を提供することができる。【００１３】
さらに、本発明のタッチパネル装置は、上記アイコンが複数表示され、このアイコン間の距離に応じて上記検知領域を拡張する距離を変えるための閾値を複数設け、ユーザが一方向にスライドしてタッチした際に感知した領域の幅に応じて、いずれかの閾値を選択して上記検知領域を拡張する構成を有する。【００１４】
この構成により、アイコン検知領域の大きさおよび位置を決定し、アイコン押下時の操作性を向上させるタッチパネル装置を提供することができる。【００１５】
さらに、本発明のタッチパネル装置は、上記アイコンが複数表示され、このアイコン間の距離に応じて上記検知領域を拡張する距離を変えるための閾値を複数設け、ユーザが一方向にスライドしてタッチした際に感知した開始点および終了点の領域の面積およびスライド方向に応じて、いずれかの閾値を選択して上記感知する領域をいずれかの方向に拡張する構成を有する。【００１６】
この構成により、アイコン検知領域の大きさおよび位置を決定し、アイコン押下時の操作性を向上させるタッチパネル装置を提供することができる。【００１７】
本発明のタッチパネル装置は、タッチパネル上のアイコンの表示領域に対し、このアイコンの検知表示を予め、一方向にずらす構成を有する。【００１８】
この構成により、アイコン検知領域の大きさおよび位置を決定し、アイコン押下時の操作性を向上させるタッチパネル装置を提供することができる。【００１９】
さらに、本発明のタッチパネル装置は、予め閾値を設け、この閾値に基づき予め決められた、一方向にずらす距離を決める構成を有する。【００２０】
この構成により、アイコン検知領域の大きさおよび位置を決定し、アイコン押下時の操作性を向上させるタッチパネル装置を提供することができる。【００２１】
さらに、本発明のタッチパネル装置は、上記アイコンが複数表示され、このアイコン間の距離がないとき上記検知領域をずらす距離を変えるための閾値を複数設け、ユーザが一方向にスライドしてタッチした際に感知した領域の幅に応じて、いずれかの閾値を選択して上記検知領域をずらす構成を有する。【００２２】
この構成により、アイコン検知領域の大きさおよび位置を決定し、アイコン押下時の操作性を向上させるタッチパネル装置を提供することができる。【００２３】
さらに、本発明のタッチパネル装置は、上記アイコンが複数表示され、このアイコン間の距離がないとき上記検知領域をずらす距離を変えるための閾値を複数設け、ユーザが一方向にスライドしてタッチした際に感知した開始点および終了点の領域の面積およびスライド方向に応じて、いずれかの閾値を選択して上記検知領域をいずれかの方向にずらす構成を有する。【００２４】
この構成により、アイコン検知領域の大きさおよび位置を決定し、アイコン押下時の操作性を向上させるタッチパネル装置を提供することができる。
【発明の効果】
【００２５】
本発明によれば、ユーザが特別に意識しなくても、事前に指若しくはスタイラスのような入力媒体の指定又は入力媒体情報を取得するためだけの特別な操作を必要とせずに、ユーザの指若しくはスタイラスにあわせたボタンアイコンおよびリストアイコンの検知領域の大きさおよび位置を決定するので、ボタンアイコンおよびリストアイコン押下時の操作性が向上することができる。また、本発明によれば、例えば、貸し出し用の端末など複数のユーザが使用する場合にもユーザが特別に意識しなくても、指若しくはスタイラスのような入力媒体に対応したボタンアイコンおよびリストアイコンの検知領域の大きさおよび位置を決定するので、操作性を向上することができる。
【図面の簡単な説明】
【００２６】
【図１】本発明の実施の形態１におけるタッチパネル装置の概略構成図
【図２】本発明の実施の形態１におけるタッチパネル装置の外観図
【図３】本発明の実施の形態１におけるタッチパネル装置のタッチパネル部分の断面図
【図４】本発明の実施の形態１におけるボタン押下時の接触点の分布を示す図
【図５】（ａ）本発明の実施の形態１におけるスライド操作の説明図、（ｂ）本発明の実施の形態１におけるスライド操作の軌跡線幅の説明図
【図６】本発明の実施の形態１におけるタッチパネル装置のロック解除操作処理を示すフローチャート
【図７】本発明の実施の形態１におけるタッチパネル装置の接触操作処理を示すフローチャート
【図８】本発明の実施の形態１における入力媒体による画面内のアイコンの検知領域の算出処理を示すフローチャート
【図９】（ａ）本発明の実施の形態１における隙間がない場合のボタンアイコン検知領域を示す図、（ｂ）本発明の実施の形態１における隙間がない場合のリストアイコン検知領域を示す図
【図１０】（ａ）本発明の実施の形態１における隙間が十分ある場合のボタンアイコン検知領域を示す図、（ｂ）本発明の実施の形態１における隙間が十分ない場合のボタンアイコン検知領域を示す図
【図１１】本発明の実施の形態２におけるタッチパネル装置の概略構成図
【図１２】本発明の実施の形態２における開始点および終了点の接触面積の説明図
【図１３】本発明の実施の形態２におけるタッチパネル装置のロック解除操作処理を示すフローチャート
【図１４】本発明の実施の形態２におけるタッチパネル装置の操作手判定処理を示すフローチャート
【図１５】本発明の実施の形態２におけるタッチパネル装置の接触操作処理を示すフローチャート
【図１６】本発明の実施の形態２における操作手による画面内アイコンの検知領域算出処理を示すフローチャート
【図１７】本発明の実施の形態２における隙間がない場合のボタンアイコン検知領域を示す図
【図１８】（ａ）本発明の実施の形態２における隙間が十分ある場合のボタンアイコン検知領域を示す図、（ｂ）本発明の実施の形態２における隙間が十分ない場合のボタンアイコン検知領域を示す図
【発明を実施するための形態】
【００２７】
以下、本発明を実施するための形態について、図面を参照しながら説明する。なお、実施の形態を説明するための全図において、同一の構成要素には同一符号を付与し、重複する説明は省略する。
【００２８】
（実施の形態１）
図１は、本発明の実施の形態１におけるタッチパネル装置の概略構成図である。図１において、携帯端末１０１は、タッチパネル１１１、表示装置１１２、ロック解除操作検出部２０１、入力媒体判定部２０２、接触位置検出部２０３、アイコン検知領域判定部２０４、アイコン処理実行部２０５、表示出力部２０６を備える。
【００２９】
ロック解除操作検出部２０１は、タッチパネル１１１からのロック解除操作およびスライド接触情報２５１を取得する。ここで「ロック解除」とは、タッチパネルでの誤入力を避けるための入力無効状態を解除することである。スライド接触情報とは、ユーザがタッチパネル１１１上に接触した座標情報等である。ロック解除操作検出部２０１で、ロック解除操作と判断すれば、入力媒体判定部２０２に、接触サイズ情報２５２を出力する。なお、ロック解除操作検出部２０１は、左右方向のスライドだけでなく、上下および斜め方向のスライドを検出し、接触サイズ情報２５２を取得する機能も備えることができ、また、タッチパネル装置に付属しているタッチパッドのスライド操作を検出する機能も備えることができる。
【００３０】
入力媒体判定部２０２は、接触サイズ情報２５２から指またはスタイラスの入力媒体を判定し、入力媒体情報２５３をアイコン検知領域判定部２０４に出力する。
【００３１】
接触位置検出部２０３は、タッチパネル１１１からの接触操作および接触位置情報２５４を取得し、接触位置情報２５５をアイコン検知領域判定部２０４に出力する。
【００３２】
アイコン検知領域判定部２０４は、入力媒体情報２５３をもとに、表示されている各ボタンアイコンおよびリストアイコンの検知領域を算出する。接触位置情報２５５が各ボタンアイコンおよびリストアイコンの検知領域内であれば、該当アイコンに割り付けてある機能を実行するよう、アイコン処理実行部２０５に、アイコン処理指示２５６を出力する。ここで、ボタンアイコンおよびリストアイコンの検知領域とは、表示しているアイコンに割り付けてある機能を実行する場合、アイコンを指又はスタイラスで押下するが、表示とは別にアイコンの機能を実行させる押下位置領域のことである。
【００３３】
アイコン処理実行部２０５は、表示出力部２０６に表示出力情報２５７を出力する。
【００３４】
表示出力部２０６は、表示出力情報２５７の内容を、表示指示２５８として表示装置１１２に出力する。
【００３５】
図２は、本発明の実施の形態１におけるタッチパネル装置の外観図である。携帯端末１０１に、タッチパネル１１１、キー１１４が付属されている。
【００３６】
以降の記述では、図２に方向を明記しているように、携帯端末１０１を縦方向で保持した場合の方向で説明する。
【００３７】
図３は、本発明の実施の形態１におけるタッチパネル装置のタッチパネル部分の断面図で、図２のＡの断面である。携帯端末１０１に、タッチパネル１１１、表示装置１１２が付属されている。
【００３８】
図４は、本発明の実施の形態１におけるボタン押下時の接触点の分布を示す図である。
【００３９】
携帯端末１０１のタッチパネル１１１上に表示しているボタンアイコンを、数十人の被験者に右手人差し指で押下してもらい、約２０００個のデータを採取した。図４はボタンアイコンの中心からの接触点分布と平均を示している。一般に、指でのボタン押下時、接触点はボタンアイコン中心点から下方向に分布する傾向がある。さらに、右手押下のため、接触点はボタンアイコン中心点から右方向に分布する傾向がある。
【００４０】
つまり、ボタンアイコンおよびリストアイコンの検知領域は下方向にずらしまたは拡張すると、誤操作が減り、操作性が向上する。また、操作手の方向に（右手なら右方向、左手なら左方向）検知領域をずらしまたは拡張すると、誤操作が減り、操作性が向上する。
【００４１】
図５（ａ）は、本発明の実施の形態１におけるスライド操作の説明図である。
【００４２】
タッチパネル１１１上のロック解除スライド領域１２０で、指１１５を横（携帯端末１０１の左右）方向にスライドさせることにより、ロック解除を行う。スライド接触軌跡１１６は指１１５を横方向にスライドした軌跡である。
【００４３】
図５（ｂ）は、本発明の実施の形態１におけるスライド操作の軌跡線幅の説明図である。
【００４４】
スライド軌跡線幅Ｌ１は、スライド接触軌跡１１６の線の幅で、これが接触サイズ情報２５２となる。
【００４５】
図６は、本発明の実施の形態１におけるタッチパネル装置（携帯端末１０１）のロック解除操作処理を示すフローチャートである。以下に、図を用いて、動作を説明する。
【００４６】
ロック解除操作検出部２０１は、タッチパネル１１１よりロック解除操作およびスライド接触情報２５１を取得すると（Ｓ３０１）、ロック解除操作およびスライド接触情報２５１からスライド軌跡線幅Ｌ１を取得し、接触サイズ情報２５２を出力する（Ｓ３０２）。
【００４７】
入力媒体判定部２０２は、接触サイズ情報２５２からスライド接触軌跡が指またはスタイラス操作かどうかを判断する（Ｓ３０３）。ここで、指またはスタイラス操作かどうかを判断する指標として、入力媒体識別閾値Ｎ１を予め設けている。入力媒体識別閾値Ｎ１は、タッチパネルの仕様及び多人数の実測データ等から決められるものである。スライド軌跡線幅Ｌ１が入力媒体識別閾値Ｎ１より小さい（Ｌ１＜Ｎ１）場合には、入力媒体判定部２０２は、スライド接触軌跡はスタイラスで操作されたと判断し、入力媒体はスタイラスであるという入力媒体情報２５３を内部データとして保持する（Ｓ３０４）。
【００４８】
スライド軌跡線幅Ｌ１が入力媒体識別閾値Ｎ１より大きいまたは同じ（Ｌ１≧Ｎ１）場合には、入力媒体判定部２０２は、スライド接触軌跡は指で操作されたと判断し、入力媒体は指であるという入力媒体情報２５３を内部データとして保持する（Ｓ３０５）。
【００４９】
図７は、本発明の実施の形態１におけるタッチパネル装置の接触操作処理を示すフローチャートである。図７を用いて、タッチパネル１１１上のアイコンに対する接触操作処理を説明する。
【００５０】
接触位置検出部２０３はタッチパネル１１１より接触操作および接触位置情報２５４を取得する（Ｓ４０１）。接触位置検出部２０３は、接触操作および接触位置情報２５４から接触位置座標を取得し（Ｓ４０２）、アイコン検知領域判定部２０４に接触位置情報２５５を出力する。
【００５１】
アイコン検知領域判定部２０４は、接触位置情報２５５および入力媒体情報２５３から、画面内の全てのボタンアイコンおよびリストアイコンの検知領域を算出する（Ｓ４０３）。具体的な処理方法については後述する。
【００５２】
さらに、アイコン検知領域判定部２０４は、接触位置がアイコンの検知領域内かどうかを判断し（Ｓ４０４）、検知領域外の場合、次の接触操作を待つ（Ｓ４０１）。検知領域内の場合、アイコン検知領域判定部２０４は、アイコン処理指示２５６をアイコン処理実行部２０５に出力する。
【００５３】
アイコン処理実行部２０５は、アイコン処理指示２５６に基づき、接触位置に該当するアイコンの機能を実行し（Ｓ４０５）、表示出力部２０６に表示出力情報２５７を出力する。表示出力部２０６は表示装置１１２に表示指示２５８を行う（Ｓ４０６）。表示装置１１２にアイコンの表示形態の変更、新規アイコンの表示等を行う。
【００５４】
図８は、本発明の実施の形態１における入力媒体による画面内のアイコンの検知領域の算出処理を示すフローチャートである。図８を用いて、画面内のアイコンの検知領域の算出について説明する。
【００５５】
まず、アイコンがボタンアイコン１１９の場合について説明する。アイコン検知領域判定部２０４は、画面内に表示されているアイコン（以下、「表示アイコン」という）の種類を判断し（Ｓ４２１）、ボタンアイコン１１９の場合、表示アイコン間の上下方向の隙間の有無を判断する（Ｓ４２２）。ここで、上下方向の表示アイコン間の隙間距離をＧｈとする。隙間距離がない（Ｇｈ＝０）場合、画面内アイコンの検知領域はずらしとなり、隙間距離がある（Ｇｈ＞０）場合には、検知領域は拡張となる。
【００５６】
次に、アイコン検知領域判定部２０４は入力媒体情報２５３より、入力媒体を判断する（Ｓ４２３）。入力媒体が指の場合には、アイコン検知領域判定部２０４は、下方向拡張距離Ｅｄを指下方向拡張最大値Ｅｆｄで保持する（Ｓ４２４）。
【００５７】
ここで、下方向拡張距離Ｅｄは、表示されたボタンアイコン１１９に対して、検知領域を下方向に拡張する距離である。また、指下方向拡張最大値Ｅｆｄは、表示されたボタンアイコン１１９に対して、指操作時のアイコンの検知領域の下方向拡張距離の最大値である。指下方向拡張最大値Ｅｆｄは、タッチパネルの仕様及び多人数の実測データ等から決められるものである。
【００５８】
入力媒体がスタイラスの場合には、アイコン検知領域判定部２０４は、下方向拡張距離Ｅｄをスタイラス下方向拡張最大値Ｅｓｄとして保持する（Ｓ４２５）。
【００５９】
ここで、スタイラス下方向拡張最大値Ｅｓｄは、表示されたボタンアイコン１１９に対して、スタイラス操作時の検知領域の下方向拡張距離の最大値である。Ｅｓｄは、タッチパネルの仕様及び多人数の実測データ等から決められるものである。
【００６０】
次に、アイコン検知領域判定部２０４は、下方向拡張距離Ｅｄが表示アイコン間の上下方向の隙間の分だけあるかを判断する（Ｓ４２６）。隙間が十分にない（Ｅｄ＞Ｇｈ）場合、下方向拡張距離Ｅｄ分拡張できないため、下方向拡張距離Ｅｄは上下方向の表示アイコン間の隙間距離Ｇｈとして保持する（Ｓ４２７）。隙間が十分にある（Ｅｄ≦Ｇｈ）場合は、下方向拡張距離Ｅｄをそのまま使用する。なお、アイコン検知領域判定部２０４は、検知領域のずらし又は拡張を行う場合、下方向だけでなく、上方向、左方向、右方向のずらし又は拡張に予め設定を変えることも可能である。
【００６１】
アイコン検知領域判定部２０４は、下方向拡張距離Ｅｄに基づき、１つのアイコンの検知領域を算出して保持する（Ｓ４２８）。画面内の全てのアイコンの検知領域算出が終了したかを判断し、画面内の全てのアイコンの検知領域の算出が終了するまで繰り返す（Ｓ４２９）。全てのアイコンについて終了した場合、本発明の実施の形態１における入力媒体による画面内のアイコンの検知領域の算出処理は終了となる。
【００６２】
次に、表示アイコンの種類がリストアイコン１２５の場合について説明する。アイコン検知領域判定部２０４は、表示アイコンの種類がリストアイコン１２５であると判断した場合、検知領域は拡張できないため、ずらしとなる。
【００６３】
入力媒体判定部２０２は、入力媒体情報２５３に基づき、入力媒体を判断する（Ｓ４３１）。入力媒体が指である場合、アイコン検知領域判定部２０４は、下方向ずらし距離Ｍｄは指下方向ずらし最大値Ｍｆｄを保持する（Ｓ４３２）。入力媒体がスタイラスである場合には、下方向ずらし距離Ｍｄはスタイラス下方向ずらし最大値Ｍｓｄとして保持する処理である。
【００６４】
ここで、スタイラス下方向ずらし最大値Ｍｓｄは、表示されているボタンおよび表示されているリストアイコンに対して、スタイラス操作時の検知領域の下方向ずらし距離の最大値である。スタイラス下方向ずらし最大値Ｍｓｄは、タッチパネルの仕様及び多人数の実測データ等から決められるものである。
【００６５】
図９（ａ）は、本発明の実施の形態１における隙間がない場合のボタンアイコン検知領域を示す図である。
【００６６】
タッチパネル１１１に、ボタンアイコン１１９を表示している。ボタンアイコン検知領域１２２は、ボタンアイコン表示領域１２１を下方向にずらしたものとなる。
【００６７】
図９（ｂ）は、本発明の実施の形態１における隙間がない場合のリストアイコン検知領域を示す図である。
【００６８】
タッチパネル１１１に、リストアイコン１２５を表示している。リストアイコン検知領域１２４は、リストアイコン表示領域１２３を下方向にずらしたものとなる。
【００６９】
図１０（ａ）は、本発明の実施の形態１における隙間が十分ある場合のボタンアイコン検知領域を示す図である。
【００７０】
タッチパネル１１１に、ボタンアイコン１１９を表示している。ボタンアイコン検知領域１２２は、ボタンアイコン表示領域１２１を下方向に拡張したものとなる。
【００７１】
図１０（ｂ）は、本発明の実施の形態１における隙間が十分ない場合のボタンアイコン検知領域を示す図である。タッチパネル１１１に、ボタンアイコン１１９を表示している。ボタンアイコン検知領域１２２は、ボタンアイコン表示領域１２１を下方向に拡張したものとなる。上下方向のボタンアイコンの隙間が全て検知領域となる。
【００７２】
なお、アイコン検知領域判定部２０４は、ボタンアイコンおよびリストアイコンだけでなく、スクロールバー等の他アイコンの検出領域の算出およびアイコン処理判定の機能も備えることができる。
【００７３】
なお、アイコン検知領域判定部２０４は、検知領域のずらし又は拡張を行う場合、ユーザが設定した、下方向、上方向、左方向、右方向の各々の有無情報を取り込み、ずらしおよび拡張する機能も備えることができる。
【００７４】
なお、アイコン検知領域判定部２０４は、検知領域のずらし又は拡張を行う場合、ユーザが設定した、各方向の指若しくはスタイラスのずらしまたは拡張の最大値を取り込み、ずらしおよび拡張する機能も備えることができる。
【００７５】
なお、アイコン検知領域判定部２０４は、検知領域の下方向と上方向の拡張を同時に行う場合、上下方向各々の拡張距離の最大値が取れない場合、下方向および上方向の拡張距離の割合を算出する機能も備えることができる。
【００７６】
なお、アイコン検知領域判定部２０４は、検知領域の左方向と右方向の拡張を同時に行う場合、左右方向各々の拡張距離の最大値が取れない場合、左方向および右方向の拡張距離の割合を算出する機能も備えることができる。
【００７７】
以上説明したとおり、本発明の実施の形態１における携帯端末１０１は、ロック解除操作検出部２０１、入力媒体判定部２０２、接触位置検出部２０３、アイコン検知領域判定部２０４、アイコン処理実行部２０５、表示出力部２０６を備え、ユーザが特別に意識しないロック解除のスライド操作から、指又はスタイラスのような入力媒体に対応したボタンアイコンおよびリストアイコンの検知領域の大きさおよび位置を決定するので、操作性を向上させることができる。
【００７８】
（実施の形態２）
次に、本発明の実施の形態２について説明する。本発明の実施の形態２は、既に説明している本発明の実施の形態１で、ロック解除操作で操作手（右手または左手）を判断できることを特徴とする。
【００７９】
図１１は、本発明の実施の形態２におけるタッチパネル装置の概略構成図である。図１１において、携帯端末１０１は、タッチパネル１１１、表示装置１１２、ロック解除操作検出部２０７、入力媒体判定部２１１、接触位置検出部２０３、第二アイコン検知領域判定部２１２、アイコン処理実行部２０５、表示出力部２０６を備える。
【００８０】
ロック解除操作検出部２０７は、タッチパネル１１１からのロック解除操作およびスライド接触情報２５１を取得する。ロック解除操作検出部２０７は、ロック解除操作およびスライド接触情報２５１を基に、タッチパネル１１１に対する入力操作をロック解除操作と判断すれば、接触サイズおよび接触面積情報２７１を入力媒体判定部２１１に出力する。
【００８１】
入力媒体判定部２１１は、接触サイズおよび接触面積情報２７１から指またはスタイラスの入力媒体の判定および操作手が右手または左手の判定を行い、入力媒体および操作手情報２７２として、第二アイコン検知領域判定部２１２へ出力する。
【００８２】
接触位置検出部２０３は、タッチパネル１１１からの接触操作および接触位置情報２５４を取得し、接触位置情報２５５を第二アイコン検知領域判定部２１２へ出力する。
【００８３】
第二アイコン検知領域判定部２１２は、入力媒体および操作手情報２７２をもとに、表示されている各ボタンアイコンおよびリストアイコンの検知領域を算出する。接触位置情報２５５が各ボタンアイコンおよびリストアイコンの検知領域内であれば、該当アイコンに割り付けてある機能を実行するようにアイコン処理指示２５６をアイコン処理実行部２０５に出力する。
【００８４】
アイコン処理実行部２０５は、表示出力部２０６に表示出力情報２５７を出力する。
【００８５】
表示出力部２０６は、表示出力情報２５７の内容を、表示指示２５８として表示装置１１２に出力する。
【００８６】
図１２は、本発明の実施の形態２における開始点および終了点接触面積の説明図である。
【００８７】
ロック解除スライド領域１２０で、指１１５を横（携帯端末の左右）方向にスライドさせることにより、ロック解除を行う。スライド接触軌跡１１６は指１１５を横方向にスライドした軌跡である。開始点接触面積Ａ１および終了点接触面積Ａ２は各々スライド開始および終了時の指でのタッチパネルへの接触面積である。
【００８８】
携帯端末を片手で保持し、保持した親指でタッチパネル上のアイコンを押下等操作する場合、親指は指の長さが短いため、タッチパネル１１１上の位置により、指の接触面積が変わる。図１２は、右手で携帯端末を縦持ちで保持し、右親指で操作する場合である。タッチパネル１１１の左側接触の場合、右親指の接触面積が大きくなる。一方、タッチパネル１１１の右側接触の場合、右親指が左側接触の場合と比べて鉛直方向に立つ状態となるため、右親指の接触面積は小さくなる。開始点および終了点の接触面積に大きな差があれば、操作手（右手または左手）を判断できる。操作手の方向に（右手なら右方向、左手なら左方向）検知領域をずらしまたは拡張すると、誤操作が減り、操作性が向上する。
【００８９】
図１３は、本発明の実施の形態２におけるタッチパネル装置のロック解除操作処理を示すフローチャートである。以下に、図を用いて、動作を説明する。
【００９０】
ロック解除操作検出部２０７は、タッチパネル１１１よりロック解除操作およびスライド接触情報２５１を取得する（Ｓ３０１）と、ロック解除操作およびスライド接触情報２５１からスライド軌跡線幅Ｌ１を取得し、接触サイズおよび接触面積情報２７１を出力する。
【００９１】
入力媒体判定部２１１は、接触サイズおよび接触面積情報２７１からスライド接触軌跡が指またはスタイラス操作かどうかを判断する（Ｓ３０３）。スライド軌跡線幅Ｌ１が入力媒体識別閾値Ｎ１より小さい（Ｌ１＜Ｎ１）場合には、入力媒体判定部２１１は、スライド接触軌跡はスタイラスで操作されたと判断し、入力媒体はスタイラスであるという入力媒体および操作手情報２７２を内部データとして保持する（Ｓ３０４）。
【００９２】
スライド軌跡線幅Ｌ１が入力媒体識別閾値Ｎ１より大きいまたは同じ（Ｌ１≧Ｎ１）場合には、入力媒体判定部２１１はスライド接触軌跡は指で操作されたと判断し、入力媒体は指であるという入力媒体および操作手情報２７２を内部データとして保持する（Ｓ３０５）。
【００９３】
入力媒体が指の場合、入力媒体判定部２１１は、接触サイズおよび接触面積情報２７１から、操作手を判定する（Ｓ３０６）。具体的な処理方法については後述する。
【００９４】
図１４は、本発明の実施の形態２におけるタッチパネル装置の操作手判定処理を示すフローチャートである。図１４を用いて、タッチパネル上のアイコンに接触した操作手の判定処理を説明する。
【００９５】
入力媒体判定部２１１は、ロック解除操作検出部２０７から開始点接触面積Ａ１および終了点接触面積Ａ２を取得する（Ｓ３２１）。
【００９６】
さらに、入力媒体判定部２１１は、開始点接触面積Ａ１および終了点接触面積Ａ２を比較する（Ｓ３２２）。ここで、接触面積の比較のために比例定数ｋが設けられる。比例定数ｋは、開始点接触面積Ａ１と終了点接触面積Ａ２との比較の際、操作手の違いを判断するために用いられる閾値である。比例定数ｋは、タッチパネル１１１の仕様及び多人数の実測データ等から決められるものである。開始点接触面積Ａ１が大きい（Ａ１＞ｋ×Ａ２）場合、終了点接触面積Ａ２が大きい（Ａ２＞ｋ×Ａ１）場合、および上記以外つまり開始点接触面積Ａ１と終了点接触面積Ａ２とに大きな違いがない（Ａ１≒Ａ２）場合、それぞれ異なる処理となる。
【００９７】
入力媒体判定部２１１は、開始点接触面積Ａ１が大きい（Ａ１＞ｋ×Ａ２）場合、スライド操作の向きを判断する（Ｓ３２３）。入力媒体判定部２１１は、接触サイズおよび接触面積情報２７１から、スライド操作の向きを判定できる。
【００９８】
入力媒体判定部２１１は、スライド方向が左から右の場合、操作手を右手として保持する（Ｓ３２４）。入力媒体判定部２１１は、スライド方向が右から左の場合、操作手を左手として保持する（Ｓ３２５）。
【００９９】
入力媒体判定部２１１は、終了点接触面積Ａ２が大きい（Ａ２＞ｋ×Ａ１）場合、スライド操作の向きを判断する（Ｓ３２６）。入力媒体判定部２１１は、スライド方向が右から左の場合、操作手を右手として保持する（Ｓ３２７）。入力媒体判定部２１１は、スライド方向が左から右の場合、操作手を左手として保持する（Ｓ３２８）。
【０１００】
入力媒体判定部２１１は、開始点接触面積Ａ１と終了点接触面積Ａ２とに大きな違いがない（Ａ１≒Ａ２）場合、操作手の事前設定値から操作手を判断する（Ｓ３２９）。入力媒体判定部２１１は、操作手の事前設定値がある場合、操作手の情報として、ユーザが設定した操作手事前設定値を保持する（Ｓ３３０）。入力媒体判定部２１１は、操作手の事前設定値がない場合、操作手の情報として、指定なしを保持する（Ｓ３３１）。
【０１０１】
図１５は、本発明の実施の形態２におけるタッチパネル装置の接触操作処理を示すフローチャートである。図１５を用いて、タッチパネル上のアイコンに対する接触操作処理を説明する。
【０１０２】
接触位置検出部２０３はタッチパネル１１１より接触操作および接触位置情報２５４を取得する（Ｓ４０１）。接触位置検出部２０３は、接触操作および接触位置情報２５４から接触位置座標を取得し（Ｓ４０２）、第二アイコン検知領域判定部２１２に接触位置情報２５５を出力する。
【０１０３】
第二アイコン検知領域判定部２１２は、接触位置情報２５５、および、入力媒体および操作手情報２７２から、画面内の全てのボタンアイコンおよびリストアイコンの検知領域を算出する（Ｓ４１１）。具体的な処理方法については後述する。
【０１０４】
さらに、第二アイコン検知領域判定部２１２は、タッチパネル１１１に対する接触位置がアイコンの検知領域内かどうかを判断し（Ｓ４０４）、検知領域外の場合、次の接触操作を待つ（Ｓ４０１）。アイコンの検知領域内の場合、第二アイコン検知領域判定部２１２は、アイコン処理指示２５６をアイコン処理実行部２０５に出力する。
【０１０５】
アイコン処理実行部２０５は、アイコン処理指示２５６に基づき、接触位置に該当するアイコンの機能を実行し（Ｓ４０５）、表示出力部２０６に表示出力情報２５７を出力する。
【０１０６】
表示出力部２０６は、表示装置１１２に表示指示２５８を行う（Ｓ４０６）。例えば、表示出力部２０６は、表示装置１１２にアイコンの表示形態の変更、新規アイコンの表示等を行う。
【０１０７】
図１６は、本発明の実施の形態２における操作手による画面内のアイコンの検知領域の算出処理を示すフローチャートである。図１６を用いて、画面内のアイコンの検知領域の算出について説明する。
【０１０８】
第二アイコン検知領域判定部２１２は、入力媒体および操作手情報２７２より、操作手を判断する（Ｓ４６１）。操作手情報が指定なしの場合、アイコン検知領域のずらしおよび拡張は行わないので、本発明の実施の形態２における入力媒体による画面内アイコンの検知領域の算出処理は終了となる。
【０１０９】
操作手情報が右手または左手の場合、第二アイコン検知領域判定部２１２は、表示アイコンの種類を判断する（Ｓ４２１）。リストアイコンの場合、操作手による検知領域のずらしおよび拡張はしない。
【０１１０】
ボタンアイコンの場合、第二アイコン検知領域判定部２１２は、表示アイコン間の左右方向の隙間の有無を判断する（Ｓ４６２）。ここで、左右方向の表示アイコン間の隙間距離をＧｗとする。隙間距離がない（Ｇｗ＝０）場合、検知領域はずらしとなり、隙間距離がある（Ｇｗ＞０）場合には、検知領域は拡張となる。
【０１１１】
次に、第二アイコン検知領域判定部２１２は、入力媒体および操作手情報２７２より、操作手を判断する（Ｓ４６３）。第二アイコン検知領域判定部２１２は、操作手情報が右手の場合、右方向拡張距離Ｅｒを指右方向拡張最大値Ｅｆｒで保持する（Ｓ４６４）。
【０１１２】
ここで、右方向拡張距離Ｅｒは、表示されたボタンアイコン１１９に対して、検知領域を右方向に拡張する距離である。また、指右方向拡張最大値Ｅｆｒは、表示されたボタンアイコン１１９に対して、指操作時の検知領域の右方向拡張距離の最大値である。Ｅｆｒは、タッチパネル１１１の仕様及び多人数の実測データ等から決められるものである。
【０１１３】
第二アイコン検知領域判定部２１２は、右方向拡張距離Ｅｒが表示アイコン間の左右方向の隙間の分だけあるかを判断する（Ｓ４６５）。第二アイコン検知領域判定部２１２は、隙間が十分にある（Ｅｒ≦Ｇｗ）場合、右方向拡張距離Ｅｒはそのまま保持する。第二アイコン検知領域判定部２１２は、隙間が十分にない（Ｅｒ＞Ｇｗ）場合、右方向拡張距離Ｅｒ分拡張できないため、右方向拡張距離Ｅｒは左右方向の表示アイコン間の隙間距離Ｇｗとして保持する（Ｓ４６６）。
【０１１４】
第二アイコン検知領域判定部２１２は、操作手情報が左手の場合、左方向拡張距離Ｅｌを指左方向拡張最大値Ｅｆｌで保持する（Ｓ４６７）。
【０１１５】
ここで、左方向拡張距離Ｅｌは、表示されたボタンアイコン１１９に対して、検知領域を左方向に拡張する距離である。また、指左方向拡張最大値Ｅｆｌは、表示されたボタンアイコン１１９に対して、指操作時の検知領域の左方向拡張距離の最大値である。Ｅｆｌは、タッチパネル１１１の仕様又は多人数の実測データ等から決められるものである。
【０１１６】
第二アイコン検知領域判定部２１２は、左方向拡張距離Ｅｌが表示アイコン間の左右方向の隙間の分だけあるかを判断する（Ｓ４６８）。第二アイコン検知領域判定部２１２は、隙間が十分にある（Ｅｌ≦Ｇｗ）場合、左方向拡張距離Ｅｌはそのまま保持する。第二アイコン検知領域判定部２１２は、隙間が十分にない（Ｅｌ＞Ｇｗ）場合、左方向拡張距離Ｅｌ分拡張できないため、左方向拡張距離Ｅｌは左右方向の表示アイコン間の隙間距離Ｇｗとして保持する（Ｓ４６９）。
【０１１７】
次に、第二アイコン検知領域判定部２１２は、入力媒体および操作手情報２７２より、操作手を判断する（Ｓ４８１）。
【０１１８】
操作手情報が右手の場合、右方向ずらし距離Ｍｒを指右方向ずらし最大値Ｍｆｒで保持する処理である。
【０１１９】
ここで、右方向ずらし距離Ｍｒは、表示されたボタンアイコン１１９に対して、検知領域を右方向にずらす距離である。また、指右方向ずらし最大値Ｍｆｒは、表示されたボタンアイコン１１９に対して、指操作時の検知領域の右方向ずらし距離の最大値である。Ｍｆｒは、タッチパネル１１１の仕様又は多人数の実測データ等から決められるものである。
【０１２０】
操作手情報が左手の場合、左方向ずらし距離Ｍｌを指左方向ずらし最大値Ｍｆｌで保持する処理である。
【０１２１】
ここで、左方向ずらし距離Ｍｌは、表示されたボタンアイコン１１９に対して、検知領域を左方向にずらす距離である。また、指左方向ずらし最大値Ｍｆｌは、表示されたボタンアイコン１１９に対して、指操作時の検知領域の左方向ずらし距離の最大値である。Ｍｆｌは、タッチパネル１１１の仕様及び多人数の実測データ等から決められるものである。
【０１２２】
第二アイコン検知領域判定部２１２は、１つのアイコンの検知領域を算出し、保持する（Ｓ４８８）。
【０１２３】
また、第二アイコン検知領域判定部２１２は、画面内の全てのアイコンの検知領域算出が終了したかを判断する（Ｓ４２９）。まだ終了していない場合、次の表示アイコンの種類を判断する。全て終了した場合、本発明の実施の形態２における操作手による画面内アイコンの検知領域算出処理は終了となる。
【０１２４】
図１７は、本発明の実施の形態２における隙間がない場合のボタンアイコン検知領域を示す図である。タッチパネル１１１に、ボタンアイコン１１９を表示している。ボタンアイコン検知領域１２２は、ボタンアイコン表示領域１２１を右方向にずらしたものとなる。
【０１２５】
図１８（ａ）は、本発明の実施の形態２における隙間が十分ある場合のボタンアイコン検知領域を示す図である。タッチパネル１１１に、ボタンアイコン１１９を表示している。ボタンアイコン検知領域１２２は、ボタンアイコン表示領域１２１を右方向に拡張したものとなる。
【０１２６】
図１８（ｂ）は、本発明の実施の形態２における隙間が十分ない場合のボタンアイコン検知領域を示す図である。タッチパネル１１１に、ボタンアイコン１１９を表示している。ボタンアイコン検知領域１２２は、ボタンアイコン表示領域１２１を右方向に拡張したものとなる。左右方向のボタンアイコンの隙間が全て検知領域となる。
【０１２７】
なお、本実施の形態では、ロック解除操作検出部２０７は、左右方向のスライドだけでなく、上下および斜め方向のスライドを検出し、接触サイズおよび接触面積情報２７１を取得する機能も備えることができる。
【０１２８】
なお本実施の形態では、ロック解除操作検出部２０７は、タッチパネル装置に付属しているタッチパッドのスライド操作を検出する機能も備えることができる。
【０１２９】
なお、本実施の形態では、第二アイコン検知領域判定部２１２は、ボタンおよびリストアイコンだけでなく、スクロールバーアイコン等の検出領域算出およびアイコン処理判定の機能も備えることができる。
【０１３０】
なお、本実施の形態では、第二アイコン検知領域判定部２１２は、検知領域のずらし又は拡張を行う場合、左右方向だけでなく、上方向、下方向にもずらしおよび拡張する機能も備えることができる。
【０１３１】
なお、本実施の形態では、第二アイコン検知領域判定部２１２は、検知領域のずらし又は拡張を行う場合、ユーザが設定した、下方向、上方向、左方向、右方向の各々の有無情報を取り込み、ずらしおよび拡張する機能も備えることができる。
【０１３２】
なお、本実施の形態では、第二アイコン検知領域判定部２１２は、検知領域のずらし又は拡張を行う場合、ユーザが設定した、各方向の指ずらしまたは拡張の最大値を取り込み、ずらしおよび拡張する機能も備えることができる。
【０１３３】
なお、本実施の形態では、第二アイコン検知領域判定部２１２は、検知領域の左方向と右方向の拡張を同時に行う場合、左右方向各々の拡張の最大値が取れない場合、左方向および右方向の拡張距離の割合を算出する機能も備えることができる。
【０１３４】
なお、本実施の形態では、第二アイコン検知領域判定部２１２は、検知領域の上方向と下方向の拡張を同時に行う場合、上下方向各々の拡張の最大値が取れない場合、上方向および下方向の拡張距離の割合を算出する機能も備えることができる。
【０１３５】
なお、本実施の形態では、本発明の実施の形態１の入力媒体による検知領域のずらしまたは拡張と組み合わせて利用することもできる。
【０１３６】
以上説明したとおり、本発明の実施の形態２における携帯端末１０１は、ロック解除操作検出部２０７、入力媒体判定部２１１、接触位置検出部２０３、第二アイコン検知領域判定部２１２、アイコン処理実行部２０５、表示出力部２０６を備え、ユーザが特別に意識しないロック解除のスライド操作から、右手又は左手のような操作手に対応したボタンアイコンおよびリストアイコンの検知領域の大きさおよび位置を決定するので、操作性を向上させることができる。
【０１３７】
なお、本出願は、２０１１年４月２０日出願の日本特許出願（特願２０１１−０９３７３７）に基づくものであり、その内容はここに参照として取り込まれる。
【産業上の利用可能性】
【０１３８】
本発明は、ユーザがタッチする領域に対し、表示された領域に対し、タッチを検知する領域を一方向に拡張したことを特徴としているため、タッチパネルを持つ入力装置に有用である。
【符号の説明】
【０１３９】
１０１  携帯端末
１１１  タッチパネル
１１２  表示装置
１１４  キー
１１５  指
１１６  スライド接触軌跡
１１９  ボタンアイコン
１２０  ロック解除スライド領域
２０１、２０７  ロック解除操作検出部
２０２、２１１  入力媒体判定部
２０３  接触位置検出部
２０４  アイコン検知領域判定部
２０５  アイコン処理実行部
２０６  表示出力部
２１２  第二アイコン検知領域判定部
２５１  ロック解除操作およびスライド接触情報
２５２  接触サイズ情報
２５３  入力媒体情報
２５４  接触操作および接触位置情報
２５５  接触位置情報
２５６  アイコン処理指示
２５７  表示出力情報
２５８  表示指示
２７１  接触サイズおよび接触面積情報
２７２  入力媒体および操作手情報
Ｌ１  スライド軌跡線幅
Ａ１  開始点接触面積
Ａ２  終了点接触面積
【図１】
2012144235.tif 000003
【図２】
2012144235.tif 000004
【図３】
2012144235.tif 000005
【図４】
2012144235.tif 000006
【図５】
2012144235.tif 000007
【図６】
2012144235.tif 000008
【図７】
2012144235.tif 000009
【図８】
2012144235.tif 000010
【図９】
2012144235.tif 000011
【図１０】
2012144235.tif 000012
【図１１】
2012144235.tif 000013
【図１２】
2012144235.tif 000014
【図１３】
2012144235.tif 000015
【図１４】
2012144235.tif 000016
【図１５】
2012144235.tif 000017
【図１６】
2012144235.tif 000018
【図１７】
2012144235.tif 000019
【図１８】
2012144235.tif 000020
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
タッチパネル上の複数アイコンが表示された表示領域に対し、ユーザが一方向にスライドしてタッチした際検知した領域の幅に応じて、予め設けられた前記アイコン間の距離に応じて前記アイコンの検知領域を拡張する距離を変えるための複数の閾値の中からいずれかの閾値に基づき、前記アイコンの検知領域を一方向に所定の距離拡張するタッチパネル装置。
【請求項２】
タッチパネル上の複数アイコンが表示された表示領域に対し、ユーザが一方向にスライドしてタッチした際検知した開始点および終了点の領域の面積およびスライド方向に応じて、予め設けられた前記アイコン間の距離に応じて前記アイコンの検知領域を拡張する距離を変えるための複数の閾値の中からいずれかの閾値に基づき、前記アイコンの検知領域をいずれかの方向に所定の距離拡張するタッチパネル装置。
【請求項３】
タッチパネル上の複数アイコンが表示された表示領域に対し、ユーザが一方向にスライドしてタッチした際検知した領域の幅に応じて、予め設けられた前記アイコン間の距離がないとき前記検知領域をずらす距離を変えるための複数の閾値の中からいずれかの閾値を選択して、前記アイコンの検知領域を一方向に所定の距離ずらすタッチパネル装置。
【請求項４】
タッチパネル上の複数アイコンが表示された表示領域に対し、ユーザが一方向にスライドしてタッチした際検知した開始点および終了点の領域の面積およびスライド方向に応じて、予め設けられた前記アイコン間の距離がないとき前記検知領域をずらす距離を変えるための複数の閾値の中からいずれかの閾値を選択して、前記アイコンの検知領域をいずれかの方向に所定の距離ずらすタッチパネル装置。
【請求項５】
（削除）
【請求項６】
（削除）
【請求項７】
（削除）
【請求項８】
（削除）
【国際調査報告】
2012144235.tif 000021
2012144235.tif 000022